(57)【要約】【課題】無線サービスの提供に不要となる無線基地局を簡単かつ確実に特定し、システム全体の効率的な省電力制御を実現する。【解決手段】複数の無線基地局２００−１〜２００−３から無線基地局２００−１〜２００−３と無線サービスの提供を受ける移動局３００−１〜３００−３との間の接続情報を取得し、移動局３００−１〜３００−３が接続していた無線基地局以外の無線基地局と接続した際、取得した接続情報と移動局３００−１〜３００−３の移動方向と無線基地局２００−１〜２００−３の配置情報とに基づいて、無線サービスの提供に不要となった無線基地局を特定し、特定した無線基地局へ省電力モードで動作するように指示する。【選択図】図１
2011055091.tif 000002
【特許請求の範囲】
【請求項１】
無線通信機能を具備する移動局と、該移動局との間で無線通信を行う複数の無線基地局と、該無線基地局を介して前記移動局へ無線サービスを提供する無線サービス提供装置とから構成された無線通信システムにおいて、
前記無線サービス提供装置は、前記無線基地局から該無線基地局と前記移動局との間の接続情報を取得し、前記移動局が移動することにより該移動局が接続していた無線基地局以外の無線基地局と接続した際、該接続情報と前記移動局の移動方向と前記無線基地局の配置情報とに基づいて、前記無線サービスの提供に不要となった無線基地局を特定し、該特定した無線基地局へ省電力モードで動作するように指示し、
前記無線サービス提供装置から省電力モードで動作するように指示された無線基地局は、省電力モードで動作することを特徴とする無線通信システム。
【請求項２】
請求項１に記載の無線通信システムにおいて、
前記無線サービス提供装置は、前記移動局の移動方向に対して前記移動局と接続している最後方に配置されている無線基地局よりも後方に配置されている無線基地局を前記無線サービスの提供に不要となった無線基地局として特定することを特徴とする無線通信システム。
【請求項３】
請求項１または請求項２に記載の無線通信システムにおいて、
前記無線サービス提供装置は、前記接続情報と前記配置情報とに基づいて、前記移動局の移動方向を算出することを特徴とする無線通信システム。
【請求項４】
請求項３に記載の無線通信システムにおいて、
前記無線サービス提供装置は、前記接続情報と前記配置情報とに基づいて、前記移動局とすでに接続していた無線基地局に対する、前記移動局と新たに接続した無線基地局の方向を、前記移動局の移動方向として算出することを特徴とする無線通信システム。
【請求項５】
請求項２に記載の無線通信システムにおいて、
前記無線サービス提供装置は、複数の前記移動局から１つの移動局グループが構成されている場合、該移動局グループの構成を示すグループ構成情報に基づいて、該移動局グループの中で最後尾の移動局を識別し、該最後尾の移動局と接続している無線基地局よりも後方に配置されている無線基地局を前記無線サービスの提供に不要となった無線基地局として特定することを特徴とする無線通信システム。
【請求項６】
請求項５に記載の無線通信システムにおいて、
前記移動局が通過する経路上に、前記移動局から該移動局を識別するための移動局識別情報を読み取り、読み取った移動局識別情報に基づいて前記グループ構成情報を作成するゲートを設け、
前記無線サービス提供装置は、前記ゲートから取得したグループ構成情報に基づいて、該移動局グループの中で最後尾の移動局を識別することを特徴とする無線通信システム。
【請求項７】
無線通信機能を具備する移動局へ、該移動局との間で無線通信を行う複数の無線基地局を介して無線サービスを提供する無線サービス提供装置であって、
前記無線基地局から該無線基地局と前記移動局との間の接続情報を取得する情報取得部と、
前記移動局が移動することにより該移動局が接続していた無線基地局以外の無線基地局と接続した際、前記接続情報と前記移動局の移動方向と前記無線基地局の配置情報とに基づいて、前記無線サービスの提供に不要となった無線基地局を特定する特定部と、
前記特定した無線基地局へ省電力モードで動作するように指示する指示部とを有する無線サービス提供装置。
【請求項８】
請求項７に記載の無線サービス提供装置において、
前記特定部は、前記移動局の移動方向に対して前記移動局と接続している最後方に配置されている無線基地局よりも後方に配置されている無線基地局を前記無線サービスの提供に不要となった無線基地局として特定することを特徴とする無線サービス提供装置。
【請求項９】
請求項７または請求項８に記載の無線サービス提供装置において、
前記接続情報と前記配置情報とに基づいて、前記移動局の移動方向を算出する方向算出部を有することを特徴とする無線サービス提供装置。
【請求項１０】
請求項９に記載の無線サービス提供装置において、
前記方向算出部は、前記接続情報と前記配置情報とに基づいて、前記移動局とすでに接続していた無線基地局に対する、前記移動局と新たに接続した無線基地局の方向を、前記移動局の移動方向として算出することを特徴とする無線サービス提供装置。
【請求項１１】
請求項８に記載の無線サービス提供装置において、
前記特定部は、複数の前記移動局から１つの移動局グループが構成されている場合、該移動局グループの構成を示すグループ構成情報に基づいて、該移動局グループの中で最後尾の移動局を識別し、該最後尾の移動局と接続している無線基地局よりも後方に配置されている無線基地局を前記無線サービスの提供に不要となった無線基地局として特定することを特徴とする無線サービス提供装置。
【請求項１２】
無線通信機能を具備する移動局へ、該移動局との間で無線通信を行う複数の無線基地局を介して無線サービスを提供する無線サービス提供方法であって、
前記無線基地局から該無線基地局と前記移動局との間の接続情報を取得する処理と、
前記移動局が移動することにより該移動局が接続していた無線基地局以外の無線基地局と接続した際、前記接続情報と前記移動局の移動方向と前記無線基地局の配置情報とに基づいて、前記無線サービスの提供に不要となった無線基地局を特定する処理と、
前記特定した無線基地局へ省電力モードで動作するように指示する処理とを有する無線サービス提供方法。
【請求項１３】
請求項１２に記載の無線サービス提供方法において、
前記移動局の移動方向に対して前記移動局と接続している最後方に配置されている無線基地局よりも後方に配置されている無線基地局を前記無線サービスの提供に不要となった無線基地局として特定する処理を有することを特徴とする無線サービス提供装置。
【請求項１４】
請求項１２または請求項１３に記載の無線サービス提供方法において、
前記接続情報と前記配置情報とに基づいて、前記移動局の移動方向を算出する処理を有することを特徴とする無線サービス提供方法。
【請求項１５】
請求項１４に記載の無線サービス提供方法において、
前記接続情報と前記配置情報とに基づいて、前記移動局とすでに接続していた無線基地局に対する、前記移動局と新たに接続した無線基地局の方向を、前記移動局の移動方向として算出する処理を有することを特徴とする無線サービス提供方法。
【請求項１６】
請求項１３に記載の無線サービス提供方法において、
複数の前記移動局から１つの移動局グループが構成されている場合、該移動局グループの構成を示すグループ構成情報に基づいて、該移動局グループの中で最後尾の移動局を識別する処理と、
前記最後尾の移動局と接続している無線基地局よりも後方に配置されている無線基地局を前記無線サービスの提供に不要となった無線基地局として特定する処理とを有することを特徴とする無線サービス提供方法。
【請求項１７】
無線通信機能を具備する移動局へ、該移動局との間で無線通信を行う複数の無線基地局を介して無線サービスを提供する無線サービス提供装置に、
前記無線基地局から該無線基地局と前記移動局との間の接続情報を取得する手順と、
前記移動局が移動することにより該移動局が接続していた無線基地局以外の無線基地局と接続した際、前記接続情報と前記移動局の移動方向と前記無線基地局の配置情報とに基づいて、前記無線サービスの提供に不要となった無線基地局を特定する手順と、
前記特定した無線基地局へ省電力モードで動作するように指示する手順とを実行させるためのプログラム。
【請求項１８】
請求項１７に記載のプログラムにおいて、
前記移動局の移動方向に対して前記移動局と接続している最後方に配置されている無線基地局よりも後方に配置されている無線基地局を前記無線サービスの提供に不要となった無線基地局として特定する手順を実行させるためのプログラム。
【請求項１９】
請求項１７または請求項１８に記載のプログラムにおいて、
前記接続情報と前記配置情報とに基づいて、前記移動局の移動方向を算出する手順を実行させるためのプログラム。
【請求項２０】
請求項１９に記載のプログラムにおいて、
前記接続情報と前記配置情報とに基づいて、前記移動局とすでに接続していた無線基地局に対する、前記移動局と新たに接続した無線基地局の方向を、前記移動局の移動方向として算出する手順を実行させるためのプログラム。
【請求項２１】
請求項１８に記載のプログラムにおいて、
複数の前記移動局から１つの移動局グループが構成されている場合、該移動局グループの構成を示すグループ構成情報に基づいて、該移動局グループの中で最後尾の移動局を識別する手順と、
前記最後尾の移動局と接続している無線基地局よりも後方に配置されている無線基地局を前記無線サービスの提供に不要となった無線基地局として特定する手順とを実行させるためのプログラム。
【発明の詳細な説明】
【技術分野】
【０００１】
本発明は、無線を用いてサービスを提供する無線通信システム、無線サービス提供装置、無線サービス提供方法およびプログラムに関する。
【背景技術】
【０００２】
近年、無線ＬＡＮ（Ｌｏｃａｌ  Ａｒｅａ  Ｎｅｔｗｏｒｋ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）など、広域を対象とした無線ブロードバンドサービスの技術開発が進み、市街地を対象にした実用サービスも開始されている。また、電車や自動車等の移動局向けの無線サービスについても技術開発が進み、実用化が進められている。
【０００３】
しかし、省電力の観点からは、これらの無線ブロードバンドサービスが拡大するにつれ、広域をカバーするため多くの無線基地局が必要となり、システム全体としての消費電力が増大するという問題が考えられる。
【０００４】
そこで、無線基地局と接続する端末の数があらかじめ設定された閾値を下回る場合、一部のキャリアの出力を段階的に停止することにより、消費電力の低減を図る技術が考えられている（例えば、特許文献１参照。）。
【先行技術文献】
【特許文献】
【０００５】
【特許文献１】特開２００８−１０９４２３号公報
【発明の概要】
【発明が解決しようとする課題】
【０００６】
しかしながら、特許文献１に記載された技術においては、各無線基地局で閾値判定に基づく電力制御を実施するため、閾値情報を共有するためのプロトコルや閾値判定を実施する機能を各無線基地局に追加しなければならないという問題点がある。また、各無線基地局では移動体の無線器が接続あるいは再接続をする可能性があるかどうかを判断できないため、無線基地局の無線器あるいは無線基地局自体の電力を遮断する等の効果的な省電力制御を実施することもできないという問題点がある。
【０００７】
本発明の目的は、上述した課題を解決する無線通信システム、無線サービス提供装置、無線サービス提供方法およびプログラムを提供することである。
【課題を解決するための手段】
【０００８】
本発明の無線通信システムは、
無線通信機能を具備する移動局と、該移動局との間で無線通信を行う複数の無線基地局と、該無線基地局を介して前記移動局へ無線サービスを提供する無線サービス提供装置とから構成された無線通信システムであって、
前記無線サービス提供装置は、前記無線基地局から該無線基地局と前記移動局との間の接続情報を取得し、前記移動局が移動することにより該移動局が接続していた無線基地局以外の無線基地局と接続した際、該接続情報と前記移動局の移動方向と前記無線基地局の配置情報とに基づいて、前記無線サービスの提供に不要となった無線基地局を特定し、該特定した無線基地局へ省電力モードで動作するように指示し、
前記無線サービス提供装置から省電力モードで動作するように指示された無線基地局は、省電力モードで動作することを特徴とする。
【０００９】
また、本発明の無線サービス提供装置は、
無線通信機能を具備する移動局へ、該移動局との間で無線通信を行う複数の無線基地局を介して無線サービスを提供する無線サービス提供装置であって、
前記無線基地局から該無線基地局と前記移動局との間の接続情報を取得する情報取得部と、
前記移動局が移動することにより該移動局が接続していた無線基地局以外の無線基地局と接続した際、前記接続情報と前記移動局の移動方向と前記無線基地局の配置情報とに基づいて、前記無線サービスの提供に不要となった無線基地局を特定する特定部と、
前記特定した無線基地局へ省電力モードで動作するように指示する指示部とを有する。
【００１０】
また、本発明の無線サービス提供方法は、
無線通信機能を具備する移動局へ、該移動局との間で無線通信を行う複数の無線基地局を介して無線サービスを提供する無線サービス提供方法であって、
前記無線基地局から該無線基地局と前記移動局との間の接続情報を取得する処理と、
前記移動局が移動することにより該移動局が接続していた無線基地局以外の無線基地局と接続した際、前記接続情報と前記移動局の移動方向と前記無線基地局の配置情報とに基づいて、前記無線サービスの提供に不要となった無線基地局を特定する処理と、
前記特定した無線基地局へ省電力モードで動作するように指示する処理とを有する。
【００１１】
また、本発明のプログラムは、
無線通信機能を具備する移動局へ、該移動局との間で無線通信を行う複数の無線基地局を介して無線サービスを提供する無線サービス提供装置に実行させるためのプログラムであって、
前記無線基地局から該無線基地局と前記移動局との間の接続情報を取得する手順と、
前記移動局が移動することにより該移動局が接続していた無線基地局以外の無線基地局と接続した際、前記接続情報と前記移動局の移動方向と前記無線基地局の配置情報とに基づいて、前記無線サービスの提供に不要となった無線基地局を特定する手順と、
前記特定した無線基地局へ省電力モードで動作するように指示する手順とを実行させる。
【発明の効果】
【００１２】
以上説明したように本発明においては、複数の無線基地局から無線基地局と無線サービスの提供を受ける移動局との間の接続情報を取得し、移動局が接続していた無線基地局以外の無線基地局と接続した際、取得した接続情報と移動局の移動方向と無線基地局の配置情報とに基づいて、無線サービスの提供に不要となった無線基地局を特定し、特定した無線基地局へ省電力モードで動作するように指示する構成としたため、移動体の移動に合わせ無線サービスの提供に不要となる無線基地局を簡単かつ確実に特定することができ、システム全体の効率的な省電力制御を実現することができる。
【図面の簡単な説明】
【００１３】
【図１】本発明の無線通信システムの第１の実施の形態を示す図である。
【図２】図１に示した無線サービス提供装置の内部構成の一例を示す図である。
【図３】図２に示した記憶部に記憶されたグループ構成情報の一例を示す図である。
【図４】図２に示した記憶部に記憶された接続情報の一例を示す図である。
【図５】図２に示した記憶部に記憶された配置情報の一例を示す図である。
【図６】図１に示した無線通信システムにおける無線サービス提供方法を説明するためのフローチャートである。
【図７】本発明の無線通信システムの第２の実施の形態を示す図である。
【図８】図７に示した無線サービス提供装置の内部構成の一例を示す図である。
【図９】図７に示した無線通信システムにおける無線サービス提供方法を説明するためのフローチャートである。
【発明を実施するための形態】
【００１４】
以下に、本発明の実施の形態について図面を参照して説明する。
（第１の実施の形態）
図１は、本発明の無線通信システムの第１の実施の形態を示す図である。
【００１５】
第１の実施の形態は図１に示すように、無線サービス提供装置１００と、無線基地局２００−１〜２００−３と、移動局３００−１〜３００−３とから構成されている。なお、移動局３００−１は、無線基地局２００−１と接続されている。また、移動局３００−２〜３００−３は、無線基地局２００−２と接続されている。また、無線基地局２００−１は、「Ａ」の位置に配置されている。また、無線基地局２００−２は、「Ｂ」の位置に配置されている。また、無線基地局２００−３は、「Ｃ」の位置に配置されている。ここで、位置を示す「Ａ」、「Ｂ」および「Ｃ」は説明の便宜上の表現であり、実際には、無線基地局２００−１〜２００−３が配置されている位置を認識することができる情報であれば良い。また、移動局３００−１〜３００−３は、１つの移動局グループａを構成している。
【００１６】
無線サービス提供装置１００は、通信ネットワークであるネットワーク４００および無線基地局２００−１〜２００−３を介して移動局３００−１〜３００−３へ無線ブロードバンドサービスを提供する。また、無線サービス提供装置１００は、無線基地局２００−１〜２００−３が配置されている位置を示す配置情報をあらかじめ記憶する。また、無線サービス提供装置１００は、無線基地局２００−１〜２００−３から無線基地局２００−１〜２００−３と移動局３００−１〜３００−３との間の接続状況を示す接続情報を取得する。また、無線サービス提供装置１００は、あらかじめ設定された移動局３００−１〜３００−３の移動方向に基づいて、移動方向に対して移動局３００−１〜３００−３と接続している最後方に配置されている無線基地局よりも後方に配置されている無線基地局を無線サービスの提供に不要となった無線基地局として特定する。また、無線サービス提供装置１００は、無線サービスの提供に不要となった無線基地局として特定した無線基地局へ省電力モードで動作するように指示する。
【００１７】
無線基地局２００−１〜２００−３は、所定のタイミングで、移動局３００−１〜３００−３との接続状況を示す接続情報をネットワーク４００を介して無線サービス提供装置１００へ送信（通知）する。この接続情報の通知は、一般的な無線サービスの無線基地局が持つ機能を利用し実現することができる。また、無線基地局２００−１〜２００−３は、無線サービス提供装置１００から、省電力モードで動作するように指示された場合、省電力モードで動作する。ここで省電力モードとは、一般的なＰＣ（Ｐｅｒｓｏｎａｌ  Ｃｏｍｐｕｔｅｒ）で用いられる「スタンバイモード」に代表されるように、使用していない機能への給電を遮断（低減）することにより、通常に動作している状態に比べて、消費電力を小さくした動作モードである。また、図１では、無線基地局の数が３である形態を例に挙げて説明しているが、その数は３に限らない。
【００１８】
移動局３００−１〜３００−３は、無線通信機能が具備された移動可能な無線局である。なお、図１に示した形態においては、移動局３００−１〜３００−３は、電車の各車両である場合を例に挙げているが、自動車や自転車等の他の車両や、移動している人であってもかまわない。また、図１に示した例では、移動局３００−１〜３００−３は、矢印の方向に移動している。また、図１では、移動局の数が３である形態を例に挙げて説明しているが、その数は３に限らない。
【００１９】
図２は、図１に示した無線サービス提供装置１００の内部構成の一例を示す図である。
【００２０】
図１に示した無線サービス提供装置１００には図２に示すように、記憶部１０２と、無線基地局２００−１〜２００−３を制御する制御部１０６とが設けられている。
【００２１】
記憶部１０２は、図１に示したように複数の移動局３００−１〜３００−３から構成された移動体（移動局グループａ）が、どのように構成されているかを示すグループ構成情報を移動局グループごとに記憶する。このグループ構成情報は、あらかじめ記憶されているものであっても良い。また、移動局３００−１〜３００−３が移動する経路上に移動局３００−１〜３００−３にそれぞれを識別するために付与された移動局識別情報を読み取るゲートを設け、当該ゲートによって読み取られた移動局識別情報に基づいてグループ構成情報が作成され、作成されたグループ構成情報が無線サービス提供装置１００によって取得されて記憶部１０２に記憶されるものであっても良い。例えば、このゲートは、通過する移動局３００−１〜３００−３の移動局識別情報を読み取り、互いに異なる移動局識別情報を読み取る間隔が所定の間隔以下である場合、それらの移動局３００−１〜３００−３は１つの移動局グループに属するものと判断し、その判断された移動局グループに属する移動局３００−１〜３００−３の通過順序に基づいて、そのグループ構成情報を作成するものであっても良い。
【００２２】
図３は、図２に示した記憶部１０２に記憶されたグループ構成情報の一例を示す図である。
【００２３】
図２に示した記憶部１０２には図３に示すように、移動局グループとそのグループ情報とが対応付けられて記憶されている。
【００２４】
例えば、移動局グループ「ａ」と、グループ構成情報「先頭から移動局３００−１、移動局３００−２、移動局３００−３」とが対応付けられて記憶されている。これは、移動方向に向かって先頭から移動局３００−１、移動局３００−２、移動局３００−３とが移動局グループａを構成していることを示している。
【００２５】
また、記憶部１０２は、制御部１０６によって書き込まれた無線基地局２００−１〜２００−３と移動局３００−１〜３００−３との間の接続情報を記憶する。この接続情報は、制御部１０６がネットワーク４００を介して無線基地局２００−１〜２００−３から取得したものである。また、記憶部１０２は、あらかじめ設定された無線基地局２００−１〜２００−３の配置情報を記憶する。
【００２６】
図４は、図２に示した記憶部１０２に記憶された接続情報の一例を示す図である。
【００２７】
図２に示した記憶部１０２には図４に示すように、無線基地局２００−１〜２００−３を識別するための無線基地局識別情報と、接続情報（無線基地局と接続されている移動局）とが対応付けられて記憶されている。
【００２８】
例えば、無線基地局識別情報「２００−１」には接続情報が記憶されていない。これは、無線基地局２００−１と接続されている移動局はないことを示している。また、無線基地局識別情報「２００−２」と接続情報「移動局３００−１〜３００−３」とが対応付けられて記憶されている。これは、無線基地局２００−２と移動局３００−１〜３００−３とが接続されていることを示している。また、無線基地局識別情報「２００−３」には接続情報が記憶されていない。これは、無線基地局２００−３と接続されている移動局はないことを示している。
【００２９】
また、記憶部１０２は、あらかじめ設定された無線基地局２００−１〜２００−３が配置された位置を示す配置情報を記憶する。なお、この配置情報は、無線基地局の増設や減設によって書き換えられる。例えば、無線基地局の増設があった場合は、増設された無線基地局から情報を取得することにより、当該無線基地局の配置情報を記憶するものであっても良い。
【００３０】
図５は、図２に示した記憶部１０２に記憶された配置情報の一例を示す図である。
【００３１】
図２に示した記憶部１０２には図５に示すように、無線基地局２００−１〜２００−３を識別するための無線基地局識別情報と、配置情報とが対応付けられて記憶されている。これにより、無線基地局２００−１〜２００−３がどこに配置されているかが認識できる。
【００３２】
例えば、無線基地局識別情報「２００−１」と配置情報「Ａ」とが対応付けられて記憶されている。これは、無線基地局２００−１が「Ａ」の位置に配置されていることを示している。また、無線基地局識別情報「２００−２」と配置情報「Ｂ」とが対応付けられて記憶されている。これは、無線基地局２００−２が「Ｂ」の位置に配置されていることを示している。また、無線基地局識別情報「２００−３」と配置情報「Ｃ」とが対応付けられて記憶されている。これは、無線基地局２００−３が「Ｃ」の位置に配置されていることを示している。
【００３３】
また、記憶部１０２には、移動局３００−１〜３００−３の移動する移動方向があらかじめ記憶されている。
【００３４】
また、制御部１０６には、情報取得部１０１と、特定部１０４と、指示部１０５とが設けられている。
【００３５】
情報取得部１０１は、ネットワーク４００を介して無線基地局２００−１〜２００−３から、無線基地局２００−１〜２００−３と移動局３００−１〜３００−３との間の接続情報を取得する。また、情報取得部１０１は、取得した接続情報を特定部１０４へ出力する。また、情報取得部１０１は、取得した接続情報を記憶部１０２に書き込む。
【００３６】
特定部１０４は、記憶部１０２に記憶されているグループ構成情報に基づいて、当該移動局グループに属する移動局３００−１〜３００−３の中で最後尾の移動局を識別する。そして、その最後尾の移動局３００−３と記憶部１０２に記憶されている移動方向と記憶部１０２に記憶された無線基地局２００−１〜２００−３の配置情報とに基づいて、移動方向に対して移動局３００−３と接続している最後方に配置されている無線基地局よりも後方に配置されている無線基地局を無線サービスの提供に不要となった無線基地局として特定する。
【００３７】
図１に示した例では、移動局グループａの最後尾の移動局は３００−３であり、また移動方向に対して移動局３００−３と接続している最後方に配置されている無線基地局は無線基地局２００−２であるため、それよりも後方に配置されている無線基地局２００−３を無線サービスの提供に不要となった無線基地局として特定する。
【００３８】
指示部１０５は、特定部１０４が特定した無線基地局へ省電力モードで動作するように指示する。図１に示した例では、指示部１０５は、無線基地局２００−３へ省電力モードで動作するように指示する。
【００３９】
以下に、第１の実施の形態における無線サービス提供方法について説明する。
【００４０】
図６は、図１に示した無線通信システムにおける無線サービス提供方法を説明するためのフローチャートである。
【００４１】
まず、情報取得部１０１によって移動局３００−１〜３００−３の接続情報が取得される（ステップＳ１）。この取得は、所定の周期によって行われるものであっても良いし、情報取得部１０１の所定のタイミングで行われるものであっても良いし、無線基地局２００−１〜２００−３の所定のタイミング（例えば、新たに移動局が接続された際）で行われるものであっても良い。取得された移動局３００−１〜３００−３の接続情報は、情報取得部１０１から特定部１０４へ出力される。
【００４２】
すると、記憶部１０２に記憶されている接続情報が特定部１０４によって読み出される。
【００４３】
そして、記憶部１０２から読み出された接続情報と情報取得部１０１から出力されてきた移動局３００−１〜３００−３の接続情報とに基づいて、移動局３００−１〜３００−３が接続していた無線基地局以外の無線基地局、つまり、新たな無線基地局と接続があったかどうかが特定部１０４によって判断される（ステップＳ２）。ここでは、記憶部１０２に記憶されている接続情報が図４に示したものであり、新たな無線基地局が無線基地局２００−１である場合を例に挙げて説明する。
【００４４】
移動局３００−１〜３００−３が新たな無線基地局（無線基地局２００−１）と接続があったと判断された場合、特定部１０４によって無線基地局２００−１〜２００−３の配置情報が記憶部１０２から読み出される（ステップＳ３）。
【００４５】
そして、記憶部１０２に記憶されている移動局３００−１〜３００−３の移動方向が特定部１０４によって読み出される（ステップＳ４）。
【００４６】
そして、記憶部１０２に記憶されているグループ構成情報に基づいて、当該移動局グループに属する移動局３００−１〜３００−３の中で最後尾の移動局（本形態においては、移動局３００−３）を識別する。そして、その最後尾の移動局３００−３と、記憶部１０２から読み出された移動方向と、記憶部１０２に記憶されている無線基地局２００−１〜２００−３の配置情報とに基づいて、移動方向に対して移動局３００−３と接続している最後方に配置されている無線基地局よりも後方に配置されている無線基地局が無線サービスの提供に不要となった無線基地局として特定される（ステップＳ５）。図１に示した形態においては上述したように、無線基地局２００−３が無線サービスの提供に不要となった無線基地局として特定される。以下、無線基地局２００−３が無線サービスの提供に不要となった無線基地局として特定された場合を例に挙げて説明する。
【００４７】
すると、指示部１０５から無線基地局２００−３へ、省電力モードで動作するように指示される（ステップＳ６）。
【００４８】
その後、無線基地局２００−３は、省電力モードで動作する。
【００４９】
また、移動局３００−１〜３００−３の移動情報が動的に算出されるものであっても良い。具体的には、第２の実施の形態として、以下に説明する。
（第２の実施の形態）
図７は、本発明の無線通信システムの第２の実施の形態を示す図である。
【００５０】
第２の実施の形態は図１に示すように、無線サービス提供装置１１０と、無線基地局２００−１〜２００−３と、移動局３００−１〜３００−３とから構成されている。なお、移動局３００−１は、無線基地局２００−１と接続されている。また、移動局３００−２〜３００−３は、無線基地局２００−２と接続されている。また、無線基地局２００−１は、「Ａ」の位置に配置されている。また、無線基地局２００−２は、「Ｂ」の位置に配置されている。また、無線基地局２００−３は、「Ｃ」の位置に配置されている。ここで、位置を示す「Ａ」、「Ｂ」および「Ｃ」は説明の便宜上の表現であり、実際には、無線基地局２００−１〜２００−３が配置されている位置を認識することができる情報であれば良い。また、移動局３００−１〜３００−３は、１つの移動局グループａを構成している。
【００５１】
無線サービス提供装置１１０は、通信ネットワークであるネットワーク４００および無線基地局２００−１〜２００−３を介して移動局３００−１〜３００−３へ無線ブロードバンドサービスを提供する。また、無線サービス提供装置１００は、無線基地局２００−１〜２００−３が配置されている位置を示す配置情報をあらかじめ記憶する。また、無線サービス提供装置１００は、無線基地局２００−１〜２００−３から無線基地局２００−１〜２００−３と移動局３００−１〜３００−３との間の接続状況を示す接続情報を取得する。また、無線サービス提供装置１００は、無線基地局２００−１〜２００−３から取得した接続情報とあらかじめ設定された無線基地局２００−１〜２００−３の配置情報とに基づいて、移動局３００−１〜３００−３の移動方向を算出する。また、無線サービス提供装置１００は、算出した移動方向に基づいて、移動方向に対して移動局３００−１〜３００−３と接続している最後方に配置されている無線基地局よりも後方に配置されている無線基地局を無線サービスの提供に不要となった無線基地局として特定する。また、無線サービス提供装置１００は、無線サービスの提供に不要となった無線基地局として特定した無線基地局へ省電力モードで動作するように指示する。
【００５２】
無線基地局２００−１〜２００−３は、図１に示した第１の実施の形態におけるものと同じである。また、図７では、無線基地局の数が３である形態を例に挙げて説明しているが、その数は３に限らない。
【００５３】
移動局３００−１〜３００−３は、図１に示した第１の実施の形態におけるものと同じである。なお、図７に示した形態においては、移動局３００−１〜３００−３は、電車の各車両である場合を例に挙げているが、自動車や自転車等の他の車両や、移動している人であってもかまわない。また、図７に示した例では、移動局３００−１〜３００−３は、矢印の方向に移動している。また、図７では、移動局の数が３である形態を例に挙げて説明しているが、その数は３に限らない。
【００５４】
図８は、図７に示した無線サービス提供装置１１０の内部構成の一例を示す図である。
【００５５】
図７に示した無線サービス提供装置１１０には図８に示すように、記憶部１０２と、無線基地局２００−１〜２００−３を制御する制御部１１６とが設けられている。
【００５６】
記憶部１０２は、図２に示したものと同じであるが、移動方向を記憶していなくても良い。
【００５７】
また、制御部１１６には、情報取得部１０１と、方向算出部１０３と、特定部１１４と、指示部１０５とが設けられている。
【００５８】
情報取得部１０１は、ネットワーク４００を介して無線基地局２００−１〜２００−３から、無線基地局２００−１〜２００−３と移動局３００−１〜３００−３との間の接続情報を取得する。また、情報取得部１０１は、取得した接続情報を方向算出部１０３へ出力する。
【００５９】
方向算出部１０３は、情報取得部１０１から出力されてきた接続情報を記憶部１０２へ書き込む。また、情報取得部１０１から出力されてきた接続情報と、記憶部１０２に記憶されている接続情報と、記憶部１０２に記憶された配置情報とに基づいて、移動局３００−１〜３００−３の移動方向を算出する。
【００６０】
特定部１１４は、記憶部１０２に記憶されているグループ構成情報に基づいて、当該移動局グループに属する移動局３００−１〜３００−３の中で最後尾の移動局を識別する。そして、その最後尾の移動局３００−３と方向算出部１０３が算出した移動方向と記憶部１０２に記憶された無線基地局２００−１〜２００−３の配置情報とに基づいて、移動方向に対して移動局３００−３と接続している最後方に配置されている無線基地局よりも後方に配置されている無線基地局を無線サービスの提供に不要となった無線基地局として特定する。
【００６１】
指示部１０５は、特定部１１４が特定した無線基地局へ省電力モードで動作するように指示する。
【００６２】
以下、移動方向の算出方法について説明する。ここでは、無線基地局２００−２と移動局３００−１〜３００−３とがすでに接続されており、移動局３００−１〜３００−３の移動により無線基地局２００−１と移動局３００−１〜３００−３とが新たに接続された場合を例に挙げて説明する。
【００６３】
無線基地局２００−１〜２００−３は、所定のタイミングで移動局３００−１〜３００−３との間の接続状況を示す接続情報を無線サービス提供装置１００へ送信する。これは一般的に行われている方法であれば良い。
【００６４】
すると、その接続情報を情報取得部１０１が取得し、情報取得部１０１から方向算出部１０３へ出力する。
【００６５】
方向算出部１０３は、情報取得部１０１から出力されてきた接続情報と記憶部１０２に記憶されている接続情報と記憶部１０２に記憶された配置情報とに基づいて、移動局３００−１〜３００−３の移動方向を算出する。
【００６６】
情報取得部１０１から出力されてきた接続情報が、移動局３００−１〜３００−３と接続している無線基地局が無線基地局２００−１，２００−２であることを示すものであり、記憶部１０２に記憶されている接続情報が、移動局３００−１〜３００−３と接続している無線基地局が無線基地局２００−１であることを示すものである場合、無線基地局２００−１が移動局３００−１〜３００−３と新たに接続された無線基地局であると判断される。そして、移動局３００−１〜３００−３とすでに接続していた無線基地局２００−２に対して、移動局３００−１〜３００−３と新たに接続した無線基地局２００−１の方向を、移動局３００−１〜３００−３の移動方向（図１に示した矢印の方向）として算出する。
【００６７】
特定部１０４は、記憶部１０２に記憶されているグループ構成情報に基づいて、当該移動局グループに属する移動局３００−１〜３００−３の中で最後尾の移動局を識別する。そして、その最後尾の移動局３００−３と方向算出部１０３が算出した移動方向と記憶部１０２に記憶された無線基地局２００−１〜２００−３の配置情報とに基づいて、移動方向に対して移動局３００−３と接続している最後方に配置されている無線基地局よりも後方に配置されている無線基地局を無線サービスの提供に不要となった無線基地局として特定する。
【００６８】
図１に示した例では、移動局グループａの最後尾の移動局は３００−３であり、また移動方向に対して移動局３００−３と接続している最後方に配置されている無線基地局は無線基地局２００−２であるため、それよりも後方に配置されている無線基地局２００−３を無線サービスの提供に不要となった無線基地局として特定する。
【００６９】
指示部１０５は、特定部１０４が特定した無線基地局へ省電力モードで動作するように指示する。図１に示した例では、指示部１０５は、無線基地局２００−３へ省電力モードで動作するように指示する。
【００７０】
以下に、第２の実施の形態における無線サービス提供方法について説明する。
【００７１】
図９は、図７に示した無線通信システムにおける無線サービス提供方法を説明するためのフローチャートである。
【００７２】
まず、情報取得部１０１によって移動局３００−１〜３００−３の接続情報が取得される（ステップＳ１１）。この取得は、所定の周期によって行われるものであっても良いし、情報取得部１０１の所定のタイミングで行われるものであっても良いし、無線基地局２００−１〜２００−３の所定のタイミング（例えば、新たに移動局が接続された際）で行われるものであっても良い。取得された移動局３００−１〜３００−３の接続情報は、情報取得部１０１から方向算出部１０３へ出力される。
【００７３】
すると、記憶部１０２に記憶されている接続情報が方向算出部１０３によって読み出される。
【００７４】
そして、記憶部１０２から読み出された接続情報と情報取得部１０１から出力されてきた移動局３００−１〜３００−３の接続情報とに基づいて、移動局３００−１〜３００−３が接続していた無線基地局以外の無線基地局、つまり、新たな無線基地局と接続があったかどうかが方向算出部１０３によって判断される（ステップＳ１２）。ここでは、記憶部１０２に記憶されている接続情報が図４に示したものであり、新たな無線基地局が無線基地局２００−１である場合を例に挙げて説明する。
【００７５】
移動局３００−１〜３００−３が新たな無線基地局（無線基地局２００−１）と接続があったと判断された場合、方向算出部１０３によって無線基地局２００−１〜２００−３の配置情報が記憶部１０２から読み出される（ステップＳ１３）。
【００７６】
そして、記憶部１０２から読み出された接続情報と情報取得部１０１から出力されてきた移動局３００−１〜３００−３の接続情報と記憶部１０２から読み出された配置情報とに基づいて、移動局３００−１〜３００−３の移動方向が算出される（ステップＳ１４）。ここでは、移動局３００−１〜３００−３とすでに接続されている無線基地局２００−２から見て、移動局３００−１〜３００−３と新たに接続された無線基地局２００−１の方向が、移動方向として算出される。
【００７７】
算出された移動方向は、方向算出部１０３から特定部１０４へ出力される。
【００７８】
そして、記憶部１０２に記憶されているグループ構成情報に基づいて、当該移動局グループに属する移動局３００−１〜３００−３の中で最後尾の移動局（本形態においては、移動局３００−３）を識別する。そして、その最後尾の移動局３００−３と、方向算出部１０３から出力されてきた移動局３００−１〜３００−３の移動方向と、記憶部１０２に記憶されている無線基地局２００−１〜２００−３の配置情報とに基づいて、移動方向に対して移動局３００−３と接続している最後方に配置されている無線基地局よりも後方に配置されている無線基地局が無線サービスの提供に不要となった無線基地局として特定される（ステップＳ１５）。図１に示した形態においては上述したように、無線基地局２００−３が無線サービスの提供に不要となった無線基地局として特定される。以下、無線基地局２００−３が無線サービスの提供に不要となった無線基地局として特定された場合を例に挙げて説明する。
【００７９】
すると、指示部１０５から無線基地局２００−３へ、省電力モードで動作するように指示される（ステップＳ１６）。
【００８０】
その後、無線基地局２００−３は、省電力モードで動作する。
【００８１】
なお、第１および第２の実施の形態において説明したように、移動局識別情報やグループ構成情報は、移動局あるいは移動局グループが無線サービスを受ける前に静的情報として登録を行うことができるが、移動局あるいは移動局グループで使用する無線器（移動局）の数が途中で変更可能な場合などは、無線器（移動局）の情報を収集できるゲート等を設け動的に登録を行う事もできるし、無線器（移動局）を通して移動局識別情報やグループ構成情報の変更要求を無線サービスのシステムに対して行うようにすることもできる。
【００８２】
また、無線基地局２００−１〜２００−３の配置情報は、無線サービス開始前に静的情報として登録を行う事ができるが、修理等による無線基地局２００−１〜２００−３の配置変更に応じ適宜情報を更新することもできる。
【００８３】
また、電車が上りと下り等の複数の路線が併設されていて同じ無線基地局を使用する場合は、路線毎に無線器の接続情報の収集と不要な無線基地局の判定とを行い、判定結果のＡＮＤにより最終的に不要な無線基地局を判定して省電力制御を行うことができる。
【００８４】
上述した動作は、電車向けの無線サービスを例に挙げて示したものであるが、高速道路などで間隔が空いた自動車の一群に対して無線サービスを提供する場合でも、自動車の一群を電車に、自動車の各無線器（移動局）を電車に設置した無線器（移動局）として、上記の動作例のシステムの構成と動作とにより、同様の制御を行う事が可能である。この場合、移動局識別情報は、高速道路の途中にゲートを設ける等して、自動車の群構成の確認と各自動車に搭載する無線器の情報の収集を行うようにして動的に登録を行うようにすることができる。同様に、本発明は、移動進路が決まっていれば、人や自転車の集団に対しても適用する事が可能である。
【００８５】
このように本発明においては、電車や自動車等の移動方向が予測可能な移動局向けの無線サービスにて、移動局あるいは移動局のグループが通過する間隔が空いている場合、その間隔を無線基地局の通信処理や接続処理を必要としない期間として着目する。電車や自動車等の移動局を対象にした無線サービスの移動制御については、無線ハンドオーバを効率的に実行する方式について多くの提案が行われているが、本発明は移動体に合わせて不要になる無線基地局を特定し、ネットワークの省電力制御を効率的に行うものである。
【００８６】
上述した無線サービス提供装置１００が行う処理は、目的に応じてそれぞれ作製された論理回路で行うようにしても良い。また、処理内容を記述したプログラムを無線サービス提供装置１００にて読取可能な記録媒体に記録し、この記録媒体に記録されたプログラムを無線サービス提供装置１００に読み込ませ、実行するものであっても良い。無線サービス提供装置１００にて読取可能な記録媒体とは、フロッピー（登録商標）ディスク、光磁気ディスク、ＤＶＤ、ＣＤなどの移設可能な記録媒体の他、無線サービス提供装置１００に内蔵されたＲＯＭ、ＲＡＭ等のメモリやＨＤＤ等を指す。この記録媒体に記録されたプログラムは、無線サービス提供装置１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００８７】
１００，１１０    無線サービス提供装置
１０１    情報取得部
１０２    記憶部
１０３    方向算出部
１０４，１１４    特定部
１０５    指示部
１０６，１１６    制御部
２００−１〜２００−３    無線基地局
３００−１〜３００−３    移動局
４００    ネットワーク
【図１】
2011055091.tif 000003
【図２】
2011055091.tif 000004
【図３】
2011055091.tif 000005
【図４】
2011055091.tif 000006
【図５】
2011055091.tif 000007
【図６】
2011055091.tif 000008
【図７】
2011055091.tif 000009
【図８】
2011055091.tif 000010
【図９】
2011055091.tif 000011